(57)【特許請求の範囲】
【請求項１】
マルチキャリアセットの２つ以上のキャリアについて別個の電力制御を提供する、無線通信のための方法であって、
前記２つ以上のキャリアにわたって電力を監視して前記２つ以上のキャリアについての電力レベルを判断するステップと、
前記２つ以上のキャリアについての電力レベルを考慮して、インナーループ制御、またはアウターループ制御のうちの少なくとも１つによって前記電力レベルを調整するステップと、
前記インナーループ制御の一部として別個に各キャリア上にパワーアップビットまたはパワーダウンビットを生成するステップと、
複数のキャリア上の前記アウターループ制御によって１つまたは複数の設定点を生成するステップと、
を有し、
前記設定点は、データレートおよび周波数が近いキャリアの設定点が同じであるように生成される方法。
【請求項２】
開ループ制御によって物理ランダムアクセスチャネル(PRACH)および専用物理制御チャネル(DPCCH)の初期電力を設定するステップをさらに有する請求項１に記載の方法。
【請求項３】
セカンダリアップリンクキャリアの初期電力がアンカーキャリア上のDPCCH電力に依存することができるように、アンカーキャリアよりも後にセカンダリアップリンクキャリアを開始するステップをさらに有する請求項２に記載の方法。
【請求項４】
共通パイロットチャネル(CPICH)、アップリンク干渉パラメータ、または定数値に基づく初期PRACHを設定するステップをさらに有する請求項２に記載の方法。
【請求項５】
瞬時電力値、アンカーキャリア値、またはマージン値に基づいて初期DPCCH値を設定するステップをさらに有する請求項２に記載の方法。
【請求項６】
前記マージン値は、キャリア間の不平衡、初期データ性能、限定的な初期干渉から選択されるか、または電力と復号誤り率とのトレードオフとして選択される請求項５に記載の方法。
【請求項７】
少なくとも２つのキャリア間で最大送信電力を共有するステップをさらに有する請求項１に記載の方法。
【請求項８】
少なくとも２つのキャリア間でパワーアップコマンドまたはパワーダウンコマンドを交互に配置するステップをさらに有する請求項１に記載の方法。
【請求項９】
複数のキャリアにわたって同様の割合で電力を増加するステップをさらに有する請求項１に記載の方法。
【請求項１０】
アンカーキャリア上でできる限り電力を増加するステップと、最大送信電力が達成されるまでセカンダリキャリア上で電力を増加するステップと、をさらに有する請求項１に記載の方法。
【請求項１１】
より低いDPCCH電力を有するキャリア上で電力を増加するステップと、最大電力が達成されるまで少なくとも１つの他のキャリア上で電力を増加するステップと、をさらに有する請求項１に記載の方法。
【請求項１２】
セカンダリキャリアまたはプライマリキャリア上で等しいかまたは等しくないパケットサイズを送信するステップをさらに有する請求項１に記載の方法。
【請求項１３】
前記設定点は無線ネットワークコントローラ(RNC)によって生成される請求項１に記載の方法。
【請求項１４】
信号対雑音しきい値を監視することによって前記設定点を生成するステップをさらに有する請求項１３に記載の方法。
【請求項１５】
前記設定点は、マルチパス遅延プロファイル、フェージング速度、干渉の変動、またはデータレートに関連付けられる請求項１４に記載の方法。
【請求項１６】
マルチキャリアセットの２つ以上のキャリアについて別個の電力制御を提供する通信装置であって、
前記２つ以上のキャリアにわたって電力を監視して前記２つ以上のキャリアについての電力レベルを判断し、前記２つ以上のキャリアについての電力レベルを考慮して、インナーループ制御、またはアウターループ制御のうちの少なくとも１つによって前記電力レベルを調整し、前記インナーループ制御の一部として別個に各キャリア上にパワーアップビットまたはパワーダウンビットを生成し、複数のキャリア上の前記アウターループ制御によって１つまたは複数の設定点を生成するための命令を保持するメモリと、
前記命令を実行するプロセッサと、
を有し、
前記設定点は、データレートおよび周波数が近いキャリアの設定点が同じであるように生成される通信装置。
【請求項１７】
開ループ制御によって物理ランダムアクセスチャネル(PRACH)および専用物理制御チャネル(DPCCH)の初期電力を設定するための命令をさらに有する請求項１６に記載の通信装置。
【請求項１８】
初期電力が前記DPCCHに依存することができるように、アンカーよりも後にセカンダリアップリンクキャリアを開始するための命令をさらに有する請求項１７に記載の通信装置。
【請求項１９】
共通パイロットチャネル(CPICH)、アップリンク干渉パラメータ、または定数値に基づく初期PRACHを設定するための命令をさらに有する請求項１７に記載の通信装置。
【請求項２０】
瞬時電力値、アンカーキャリア値、またはマージン値に基づいて初期DPCCH値を設定するための命令をさらに有する請求項１７に記載の通信装置。
【請求項２１】
前記マージン値は、キャリア間の不平衡、初期データ性能から選択されるか、または電力と復号誤り率とのトレードオフとして選択される請求項２０に記載の通信装置。
【請求項２２】
複数のキャリアにわたって同様の割合で電力を増加するための命令をさらに有する請求項１６に記載の通信装置。
【請求項２３】
アンカーキャリア上でできる限り電力を増加し、最大送信電力が達成されるまでセカンダリキャリア上で電力を増加するための命令をさらに有する請求項１６に記載の通信装置。
【請求項２４】
マルチキャリアセットの２つ以上のキャリアについて別個に電力を制御する通信装置であって、
前記２つ以上のキャリアについての電力レベルを監視する手段と、
前記２つ以上のキャリアについての電力レベルを考慮して、インナーループ制御、またはアウターループ制御のうちの少なくとも１つによって前記電力レベルを調整する手段と、
前記インナーループ制御の一部として別個に各キャリア上にパワーアップビットまたはパワーダウンビットを生成する手段と、
複数のキャリア上の前記アウターループ制御によって１つまたは複数の設定点を生成する手段と、
を有し、
前記設定点は、データレートおよび周波数が近いキャリアの設定点が同じであるように生成される通信装置。
【請求項２５】
マルチキャリアセットの２つ以上のキャリアについて別個に電力を制御するためのコンピュータプログラムであって、
コンピュータに、前記２つ以上のキャリアにわたって電力を監視して前記２つ以上のキャリアについての電力レベルを判断させるためのコードと、
コンピュータに、前記２つ以上のキャリアについての電力レベルを考慮して、インナーループ制御、またはアウターループ制御のうちの少なくとも１つによって前記電力レベルを調整させるためのコードと、
コンピュータに、前記インナーループ制御の一部として別個に各キャリア上にパワーアップビットまたはパワーダウンビットを生成させるためのコードと、
コンピュータに、複数のキャリア上の前記アウターループ制御によって１つまたは複数の設定点を生成させるためのコードと、
を有し、
前記設定点は、データレートおよび周波数が近いキャリアの設定点が同じであるように生成されるコンピュータプログラム。
【請求項２６】
コンピュータに、キャリアのグループについての電力を順次にまたは並行して調整させるためのコードをさらに有する請求項２５に記載のコンピュータプログラム。
【請求項２７】
マルチキャリアセットの２つ以上のキャリアについて別個の電力制御を提供する、無線通信のための方法であって、
前記２つ以上のキャリアにわたって電力を監視して前記２つ以上のキャリアについての電力レベルを判断するステップと、
前記２つ以上のキャリアについての電力レベルを考慮して、インナーループ制御コマンド、またはアウターループ制御コマンドのうちの少なくとも１つを処理するステップと、
前記インナーループ制御の一部として別個に各キャリア上にパワーアップビットまたはパワーダウンビットを生成するステップと、
複数のキャリア上の前記アウターループ制御によって１つまたは複数の設定点を生成するステップと、
を有し、
前記設定点は、データレートおよび周波数が近いキャリアの設定点が同じであるように生成される方法。
【請求項２８】
開ループ制御によって物理ランダムアクセスチャネル(PRACH)および専用物理制御チャネル(DPCCH)の初期電力を設定するステップをさらに有する請求項２７に記載の方法。
【請求項２９】
１つまたは複数の設定点を監視して前記電力レベルを調整するステップをさらに有する請求項２７に記載の方法。
【請求項３０】
マルチキャリアセットの２つ以上のキャリアについて別個に電力を制御する通信装置であって、
前記２つ以上のキャリアについての電力レベルを監視する手段と、
前記２つ以上のキャリアについての電力レベルを考慮して、インナーループ制御コマンド、またはアウターループ制御コマンドのうちの少なくとも1つを処理する手段と、
前記インナーループ制御の一部として別個に各キャリア上にパワーアップビットまたはパワーダウンビットを生成する手段と、
複数のキャリア上の前記アウターループ制御によって１つまたは複数の設定点を生成する手段と、
を有し、
前記設定点は、データレートおよび周波数が近いキャリアの設定点が同じであるように生成される通信装置。
【発明の詳細な説明】
【技術分野】
【０００１】
以下の説明は、概して無線通信システムに関し、より詳細には、高速アップリンクパケットアクセス(HSUPA)に関する複数のキャリアのループ電力制御を与えることに関する。
【０００２】
米国特許法第119条に基づく優先権の主張
本願は、発明の名称を“POWER CONTROL IN MULTI-CARRIER HSUPA”とし、2009年3月17日に出願された米国特許仮出願第61/160,902号の利益を主張し、その全体が参照により本明細書に組み込まれる。
【背景技術】
【０００３】
無線通信システムは、音声、データなど、様々なタイプの通信コンテンツを提供するために広く配置されている。これらのシステムは、利用可能なシステムリソース(たとえば、帯域幅および送信電力)を共有することによって複数のユーザとの通信をサポートすることが可能な多元接続システムであり得る。そのような多元接続システムの例には、符号分割多元接続(CDMA)システム、時分割多元接続(TDMA)システム、周波数分割多元接続(FDMA)システム、E-UTRAを含む3GPP Long Term Evolution(LTE)システム、および直交周波数分割多元接続(OFDMA)システムがある。
【０００４】
直交周波数分割多重(OFDM)通信システムは、全システム帯域幅を、周波数サブチャネル、トーン、または周波数ビンとも呼ばれ得る複数(NF)個のサブキャリアに効果的に区分する。OFDMシステムでは、まず、送信すべきデータ(すなわち、情報ビット)を特定の符号化方式を用いて符号化して符号化ビットを生成し、符号化ビットをさらにマルチビットシンボルにグループ化し、次いで、これらのマルチビットシンボルを変調シンボルにマッピングする。各変調シンボルは、データ送信のために使用される特定の変調方式(たとえば、M-PSKまたはM-QAM)によって定義された信号コンスタレーション中のポイントに対応する。各周波数サブキャリアの帯域幅に依存し得る各時間間隔において、NF個の周波数サブキャリアの各々において変調シンボルを送信することができる。したがって、システム帯域幅にわたる様々な減衰量よって特徴づけられる、周波数選択性フェージングによって生じるシンボル間干渉(ISI)をなくすために、OFDMを使用することができる。
【０００５】
一般に、無線多元接続通信システムは、順方向および逆方向リンク上の送信を介して1つまたは複数の基地局と通信する複数の無線端末のための通信を同時にサポートすることができる。順方向リンク(またはダウンリンク)は、基地局から端末への通信リンクを指し、逆方向リンク(またはアップリンク)は、端末から基地局への通信リンクを指す。この通信リンクは、単入力単出力、多入力単出力または多入力多出力(MIMO)システムを介して確立され得る。
【発明の概要】
【発明が解決しようとする課題】
【０００６】
無線システムの1つの問題は、高速アップリンクパケットアクセス(HSUPA)のためのマルチキャリア制御に関する。一般に、HSUPAは、パケットスケジューラを採用するが、ユーザ装置またはデバイスが、データを送信するための許可を要求し得、スケジューラが、いつおよびいくつのデバイスにそうすることを許すかを決定する、要求−許可(request-grant)の原理に基づいて動作する。送信の要求は、デバイスにおける送信バッファおよびキューの状態と、その利用可能な電力マージンとに関するデータを含んでいる。このスケジュールされた送信モードに加えて、適用可能な規格は、非スケジュールと表される、デバイスからの自己開始送信モードをも可能にしている。さらに、キャリアにわたる独立でない制御により、キャリア間で電力を調整し、デバイスおよび/またはチャネル間の干渉を制御することが困難になった。その上、独立でない制御に加えて、マルチキャリア制御システムは、条件が規定されたときにキャリア間で電力割り当てを適切にスケーリングする能力を有しなかった。制御の独立性およびスケーリングのそのような欠如により、所望のサービス品質を与えることが極めて困難になった。
【課題を解決するための手段】
【０００７】
以下で、特許請求する発明のいくつかの態様の基本的理解を与えるために、簡略化された概要を提示する。本概要は、包括的な概観ではなく、主要な/重要な要素を識別するものでも、特許請求する発明の範囲を定めるものでもない。その唯一の目的は、後で提示するより詳細な説明の導入として、いくつかの概念を簡略化された形で提示することである。
【０００８】
システムおよび方法は、高速パケットアクセスネットワークの複数の無線キャリアにわたってループ電力制御を別個に与える。一態様では、複数のキャリアにわたって電力を制御するために開ループ電力制御が与えられる。そのような制御は、典型的には、たとえば、物理ランダムアクセスチャネル(PRACH)および専用物理制御チャネル(DPCCH)の電力設定のためなど、初期電力設定に適用される。別の態様では、キャリア電力制御のためにインナーまたは閉ループ制御が与えられる。これらは、ノードB(Node B)または送信局からユーザ装置(UE)へのビットフィードバックを含むことができ、受信された雑音信号を設定点と比較して、パワーアップコマンドまたはパワーダウンコマンドがそれぞれのUEに送信されることを可能にし、1つのキャリアについてまたはキャリアのセットにわたってパワーを動的に調整(アップまたはダウン)することができる。さらに別の態様では、複数の高速キャリアにわたって電力をさらに制御するためにアウターループ制御が与えられ得る。アウターループ電力制御は、概して、無線ネットワークコントローラ(RNC)によってネットワークインターフェースを介してノードBに伝達される。キャリアごとに別々のアルゴリズムを与えることができ、RNCによって生成される電力設定点は、それぞれのキャリア上のデータ性能によってキャリアごとに判断される。
【０００９】
上記および関係する目的の達成のために、いくつかの例示的な態様について、以下の説明および添付図面に関して本明細書で説明する。ただし、これらの態様は、特許請求する発明の原理を採用することができる様々な方法のうちのほんのいくつかを示すものであり、特許請求する発明は、すべてのそのような態様およびそれらの均等物を含むものとする。他の利点および新規の特徴は、以下の詳細な説明を図面とともに考察すると明らかになろう。
【図面の簡単な説明】
【００１０】
【図１】無線通信システムのための別個のマルチキャリアループ電力制御を与えるシステムの高レベルのブロック図である。
【図２】無線通信システムにおける開ループ制御、アウターループ制御、およびインナーループ制御を示す図である。
【図３】無線通信システムのための開ループコントローラを示す図である。
【図４】無線通信システムのためのアウターループコントローラを示す図である。
【図５】無線通信システムのためのマルチキャリアループ電力制御の方法を示す図である。
【図６】マルチキャリアループ電力制御のための例示的な論理モジュールを示す図である。
【図７】代替的マルチキャリアループ電力制御のための例示的な論理モジュールを示す図である。
【図８】マルチキャリア電力制御を採用する例示的な通信装置を示す図である。
【図９】多元接続無線通信システムを示す図である。
【図１０】例示的な通信システムを示す図である。
【図１１】例示的な通信システムを示す図である。
【発明を実施するための形態】
【００１１】
無線ネットワークにおいて複数のキャリアにわたって電力を制御するためのシステムおよび方法を提供する。一態様では、無線通信のための方法を提供する。本方法は、高速パケットアクセス信号のセットからの2つ以上のキャリアについて別個の電力制御を適用するステップを含む。本方法は、2つ以上のキャリアにわたって電力を監視して高速パケットアクセス信号のセットについての電力レベルを判断するステップを含む。本方法はまた、パケットアクセス信号のセットについての電力レベルを考慮して、開ループ制御、インナーループ制御、またはアウターループ制御のうちの少なくとも1つを調整するステップを含む。
【００１２】
本明細書で説明する1つまたは複数の例示的な実施形態では、説明する機能は、ハードウェア、ソフトウェア、ファームウェア、またはそれらの任意の組合せで実装され得ることに留意されたい。ソフトウェアで実装する場合、機能は、1つまたは複数の命令またはコードとしてコンピュータ読み取り可能な媒体上に記憶するか、あるいはコンピュータ読み取り可能な媒体を介して送信することができる。コンピュータ読み取り可能な媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体でよい。限定ではなく、例として、そのようなコンピュータ読み取り可能な媒体は、RAM、ROM、EEPROM、CD-ROMまたは他の光ディスク記憶、磁気ディスク記憶または他の磁気記憶デバイス、あるいは命令もしくはデータ構造の形態の所望のプログラムコードを担持または記憶するために使用され得、コンピュータによってアクセスされ得る、任意の他の媒体を含むことができる。また、いかなる接続もコンピュータ読み取り可能な媒体と適切に呼ばれる。たとえば、ソフトウェアが、同軸ケーブル、光ファイバケーブル、ツイストペア、デジタル加入者回線(DSL)、または赤外線、無線、およびマイクロ波などの無線技術を使用して、ウェブサイト、サーバ、または他のリモートソースから送信される場合、同軸ケーブル、光ファイバケーブル、ツイストペア、DSL、または赤外線、無線、およびマイクロ波などの無線技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピー(登録商標)ディスク(disk)およびブルーレイディスク(disc)を含み、ディスク(disk)は、通常、データを磁気的に再生し、ディスク(disc)は、データをレーザで光学的に再生する。上記の組合せもコンピュータ読み取り可能な媒体の範囲内に含めるべきである。
【００１３】
次に図１を参照すると、システム100は、無線通信ネットワーク110のためのループ電力制御を与え、複数のキャリア間のユーザ装置の送信電力を別個に調整するために複数のループ制御114が採用される。システム100は、無線ネットワーク110を介して様々なデバイス130と通信することが可能なエンティティとすることができる(ノード、evolved node B(eNB)、サービングeNB、ターゲットeNB、フェムト局、ピコ局とも呼ばれる)1つまたは複数の基地局120を含む。たとえば、各デバイス130は、(端末、ユーザ装置、モビリティ管理エンティティ(MME)またはモバイルデバイスとも呼ばれる)アクセス端末とすることができる。デバイス130は、複数の無線キャリアにわたって電力を管理するために与えられる、別個の電力およびスケーリング制御140を含み得る。そのような制御140は、基地局120から発しているパワーアップコマンドまたはパワーダウンコマンド150に応答する。たとえば、114において、別個に制御される(たとえば、各キャリアが別々のループ制御を有する)様々なループ制御が与えられ得る。図示のように、ループ制御114は、キャリアセットにわたって(個々におよび/またはまとめて)電力を動的に調整するためにインナーループ制御、アウターループ制御、および/または開ループ制御を含み得る。
【００１４】
図示のように、基地局120は、ダウンリンク160を介して(1つまたは複数の)デバイス130に伝達し、アップリンク170を介してデータを受信する。デバイス130もダウンリンクチャネルを介してデータを送信し、アップリンクチャネルを介してデータを受信することができるので、アップリンクおよびダウンリンクのような表示は任意である。2つの構成要素120および130が示されているが、ネットワーク110上で3つ以上の構成要素を採用することができ、そのような追加の構成要素を、本明細書で説明するループ電力制御に適応させることもできることに留意されたい。さらに、制御140は、典型的には高速アップリンクパケットアクセス(HSUPA)システムに適用されるが、そのような制御は、高速ダウンリンクパケットアクセス(HSDPA)または他の無線プロトコルにも同様に適用され得ることに留意されたい。
【００１５】
概して、ループ制御114、140、および150は、高速パケットアクセスネットワークの複数の無線キャリアにわたって電力設定を別個に調整する。一態様では、別個のループ制御114がマルチキャリアセットの1つまたは複数のキャリアに適用され得る、無線キャリアのための電力制御方法が提供される。本方法は、複数のキャリアにわたってパワーアップおよびパワーダウンコマンド150に応答するステップと、そのパワーアップおよびパワーダウンコマンドに応答して少なくとも2つの無線キャリアにわたって許容電力割り当てを分割するステップとを含む。したがって、システム100は、高速パケットアクセスネットワークの複数の無線キャリアにわたってループ電力制御114を別個に与える。一態様では、複数のキャリアにわたって電力を制御するために、114において開ループ電力制御が与えられる。そのような制御は、典型的には、図３に関して以下でより詳細に説明するように、たとえば、物理ランダムアクセスチャネル(PRACH)および専用物理制御チャネル(DPCCH)の電力設定のためなど、初期電力設定に適用される。
【００１６】
別の態様では、114において、キャリア電力制御のためにインナーループ制御が与えられる。これらは、ノードBまたは送信局からユーザ装置(UE)へのビットフィードバックを含むことができ、受信された雑音信号を設定点と比較して、パワーアップコマンドまたはパワーダウンコマンドがそれぞれのUEに送信されることを可能にし、1つのキャリアについてまたはキャリアのセットにわたってパワーを動的に調整(アップまたはダウン)することができる。さらに別の態様では、114において、複数の高速キャリアにわたって電力をさらに制御するためにアウターループ制御が与えられ得る。図４に関してより詳細に説明するアウターループ電力制御は、概して、無線ネットワークコントローラ(RNC)によってネットワークインターフェース(たとえば、Iubインターフェース)を介してノードBに伝達される。キャリアごとに別々のアルゴリズムを与えることができ、RNCによって生成される電力設定点は、それぞれのキャリア上のデータ性能によってキャリアごとに判断される。ループ電力制御114については、図２に関して以下でより詳細に図示および説明する。
【００１７】
システム100は、アクセス端末またはモバイルデバイスとともに採用され得、たとえば、SDカード、ネットワークカード、無線ネットワークカード、(ラップトップ、デスクトップ、携帯情報端末(PDA)を含む)コンピュータ、モバイルフォン、スマートフォン、またはネットワークにアクセスするために利用され得る任意の他の好適な端末などのモジュールとすることができることに留意されたい。端末は、アクセス構成要素(図示せず)によってネットワークにアクセスする。一例では、端末とアクセス構成要素との間の接続は本質的に無線とすることができ、アクセス構成要素は基地局とすることができ、モバイルデバイスは無線端末である。たとえば、端末と基地局とは、限定はしないが、時分割多元接続(TDMA)、符号分割多元接続(CDMA)、周波数分割多元接続(FDMA)、直交周波数分割多重(OFDM)、FLASH OFDM、直交周波数分割多元接続(OFDMA)、または任意の他の好適なプロトコルを含む、任意の好適な無線プロトコルによって通信することができる。
【００１８】
アクセス構成要素は、有線ネットワークまたは無線ネットワークに結合されたアクセスノードとすることができる。その目的で、アクセス構成要素は、たとえば、ルータ、スイッチなどとすることができる。アクセス構成要素は、他のネットワークノードと通信するための1つまたは複数のインターフェース、たとえば、通信モジュールを含み得る。さらに、アクセス構成要素はセルラータイプネットワーク中の基地局(または無線アクセスポイント)とすることができ、基地局(または無線アクセスポイント)は複数の加入者に無線カバレージエリアを与えるために利用される。そのような基地局(または無線アクセスポイント)は、1つまたは複数のセルラー電話および/または他の無線端末に連続するカバレージエリアを与えるように構成され得る。
【００１９】
次に図２を参照すると、システム200は、マルチキャリア無線システムのための詳細なループ制御を示す。上記と同様に、システム200は、無線ネットワーク210を介して様々なデバイス230と通信することが可能なエンティティとすることができる1つまたは複数の基地局220を含む。たとえば、各デバイス230は、(端末、ユーザ装置、モビリティ管理エンティティ(MME)またはモバイルデバイスとも呼ばれる)アクセス端末とすることができる。デバイス230は、複数の無線キャリアにわたって電力を管理するために与えられる、別個の電力およびスケーリング制御240を含み得る。そのような制御240は、基地局220から発しているパワーアップコマンドまたはパワーダウンコマンド250に応答する。図示のように、基地局220は、ダウンリンク260を介して(1つまたは複数の)デバイス230に伝達し、アップリンク270を介してデータを受信する。
【００２０】
図示のように、284におけるインナーループまたは閉ループ制御に加えて、開ループ制御280が与えられ得る。無線ネットワークコントローラ(RNC)290およびインターフェース294(たとえば、Iubインターフェース)はアウターループ制御296を形成する。概して、電力制御は、WCDMA/HSPAを含むCDMAシステムにおける干渉を管理する際に利用される。WCDMAアップリンクおよびHSUPAにおけるアップリンク電力制御は概して3つのループとすることができるが、他のループ(たとえば、ネストされたループ)も可能である。開ループ制御280は概して初期電力に適用可能である。閉ループ制御284は、概してノードB220からUE230への1ビットフィードバックを採用するが、2ビット以上を利用することもできる。ノードB220は、受信パイロットSINR(信号対雑音比)を設定点と比較し、たとえば、スロット当たり1ビットを使用して「アップ」および「ダウン」コマンドを送信する。UE230は、コマンドに応じて、UE230の電力を1dBステップアップまたはダウン(あるいは他の増分値)で調整する。UE230は、そのアクティブセット中の1つのノードBがUE230に「ダウン」コマンドを送信する限り、UE230の電力を低減する。閉ループにおいてノードB220によって使用されるアウターループ296の設定点はRNC290によって判断される。設定点は、たとえば、データチャネル上のパケット誤り率に基づき得る。
【００２１】
瞬時チャネル電力変動は、2つの隣接キャリアにわたってさえも完全には相関され得ないことに留意されたい。したがって、2つ以上のアップリンクキャリアの各々は別々のインナーループ電力制御284を有しなければならない。ノードB220によって送信されるアップリンク電力制御コマンドは、アンカーダウンリンクキャリア上のDPCHまたはF-DPCHのいずれかで搬送され、セカンダリアップリンクとペアにされたダウンリンクキャリア上のF-DPCHで搬送される。キュービックメトリック(cubic metric)の制約によるバックオフの後、UE230の最大送信電力は、2つのアップリンクキャリア間で共有される。UE230の合計送信電力が最大送信電力に対する電力制御ステップサイズ内にあるとき、UEは、キャリア間で、および各キャリア上のチャネル間で、その電力をスケーリングする。各キャリア上のチャネル間の電力スケーリングに関する現在のルールを利用しながら、キャリア間の電力スケーリングのために新しい制御ルールを与えることができる。
【００２２】
UE230は、各TPCコマンド合成期間中に、キャリアごとに1つずつ、電力制御ビットの2つのセットを受信する。UE230は、最初に、現在のルールに従ってキャリアごとに1つのTPCコマンドを導出する。両方のコマンドが「ダウン」である場合、UE230は両方のキャリアに電力低減を適用する。この場合、新しいルールは不要である。2つのコマンドのうちの一方のみが「ダウン」である場合、UE230は、最初に、対応するキャリアに電力低減を適用し、その後、他方のキャリアに電力増加を適用する。UEが、「アップ」コマンドとともにキャリア上で電力制御ステップサイズだけその電力を増加させるのに十分な電力を有しない場合、UEは、現在のルールに従ってこのキャリア上のすべてのチャネル上でその電力をスケーリングする。
【００２３】
両方のコマンドが「アップ」であり、UE230が両方のコマンドに従うのに十分な電力を有する場合、UEは両方のキャリアに電力増加を適用する。UE230が両方のコマンドに従うのに十分な電力を有しない場合、UEがキャリア間でその電力を割り振るための以下の少なくとも3つのオプションがある。
【００２４】
1. UEは、最大送信電力が満たされるように各キャリア上で同じ割合でUEの電力を増加させる。
【００２５】
2. UEは、最初に、アンカーキャリア上でできる限りUEの電力を増加させ、次いで、最大送信電力が満たされるようにセカンダリキャリア上でUEの電力を増加させる。
【００２６】
3. UEは、最初に、より低い送信DPCCH送信電力を有するキャリア上でできる限りUEの電力を増加させ、次いで、最大送信電力が満たされるように他のキャリア上でUEの電力を増加させる。
【００２７】
オプション1が最も簡単であるが、オプション2は以下の利点を有する。
アンカーキャリア上のDPCCHおよびDPDCH電力は、ちょうどシングルキャリアの場合のように保存される。
両方のキャリアのHS-DPCCHがアンカー上のみで送信される場合、HS-DPCCHがより良く保護される。
【００２８】
オプション3では、基地局220におけるデータチャネルの総受信SINRが改善され、したがって、総データスループットが向上し得る。送信電力について同様のルールを適用することができる。
【００２９】
アウターループ制御296では、第2のキャリアの追加は、可能なIubシグナリング変更を必要とする。したがって、2つ(またはそれ以上)のキャリアのために別々のアウターループが与えられ得る。2つのキャリア上のフェージング、干渉変動およびデータレートは異なり得るので、これは、ロバストネスの考慮によって動機を与えられる。
【００３０】
開ループ電力制御280では、初期PRACH送信電力と初期DPCCH送信電力の両方を設定するためにシングルキャリアシステムにおける開ループ電力制御が使用され得る。セカンダリアップリンクキャリア上でUEによって送信されるPRACHはないので、PRACHの電力制御に関する変更は不要である。シングルキャリアアップリンクでは、DPCCHを確立すると、UEは、以下の例示的な式を使用してUEの初期DPCCH送信電力を判断する。
DPCCH_Initial_power = DPCCH_Power_offset - CPICH_RSCP
【００３１】
この式はアンカーアップリンクキャリアについても成り立ち得る。セカンダリアップリンクキャリアがアンカーの後に確立された場合、UE230は、セカンダリキャリア上の初期DPCCH送信電力をアンカーキャリア上の瞬時DPCCH送信電力と同様にすることができる。2つのアップリンクキャリアは隣接しているので、セカンダリアップリンクキャリアのチャネル状態は、セカンダリアップリンクとペアにされたダウンリンクキャリアのチャネル状態よりも、アップリンクアンカーキャリアのチャネル状態とより相関される。さらに、CPICH_RSCP測定の精度はDPCCH送信電力の精度ほど良好でないことがある(参考文献を探されたい)。したがって、第2のキャリア上の初期DPCCH送信電力としてアンカーキャリア上の瞬時DPCCH送信電力を使用すると、初期DPCCH送信後のインナーループ電力制御284の収束がより高速になる。
【００３２】
次に図３を参照すると、開ループコントローラ300が示されている。開ループ電力制御は、物理ランダムアクセスチャネル(PRACH)310および専用物理制御チャネルDPCCH320の初期電力を判断するために採用され得る。マルチキャリアHSUPAでは、概して、2つのアップリンクキャリアがある。1つのオプションは、セカンダリキャリア上にPRACHを有しないことである。したがって、無線リソース制御 (RRC)セットアップはアンカー上の無線ベアラセットアップを通して来る。このモードは、2つのキャリアが隣接している、すなわち間隔が小さいキャリアであるときにより有利である。ただし、セカンダリキャリアは、依然としてDPCCH320のためにその初期電力を計算しなければならない。アンカーキャリア開ループは現行の3GPP規格に従う。セカンダリアップリンクキャリアは、その初期電力がアンカーDPCCH電力に依存し得るように、アンカーよりも後に開始する。
【００３３】
330におけるシングルキャリア演算では、アンカーキャリア開ループは現行の3GPP規格に従う。初期PRACH TX電力 = プライマリCPICH TX電力 - CPICH RSCP + アップリンク干渉 + 定数値であり、ただし、初期PRACH TX電力は、システムブロードキャストからのダウンリンク測定値(CPICH RSCP)およびパラメータに依存する。DPCCH_Initial_power = DPCCH_Power_offset - CPICH_RSCPであり、DPCCH_Initial_powerは同様の依存性を有する。そのように計算された値は、アップリンクとダウンリンクの不平衡のために正確でないことがある。ただし、確立されたアップリンクがなければ、UEは他のオプションを有し得ない。
【００３４】
340におけるマルチキャリアの検討では、セカンダリキャリアが構成されるとき、RRC接続はアップであり、アンカーキャリア送信電力はその所望の値に収束している。隣接するキャリア、すなわち、間隔が小さいキャリアの場合、セカンダリキャリア上の初期DPCCH送信電力=アンカーキャリア上の瞬時DPCCH送信電力+マージンとする。
【００３５】
ただし、2つのキャリア間の不平衡は、それらのキャリアが小さい距離を有する場合、アップリンクとダウンリンクの不平衡よりもはるかに小さい。上記のマージンは、セカンダリキャリアのチャネルがアンカーよりも不良である場合でもセカンダリキャリア上で良好な初期データ性能を与えるためのものであり、マージンは、過大電力と低復号誤り率とをトレードオフするように選択される。
【００３６】
次に図４を参照すると、無線システムのためのアウターループコントローラ400が与えられている。アウターループコントローラは、データ誤り率420を入力し、1つまたは複数のキャリア電力設定点430を生成するプロセッサ410を含む。前述のように、RNC(無線ネットワークコントローラ)は、たとえば、Iubインターフェース上でメッセージを通して設定点をノードBに通知する。典型的なアウターループアルゴリズムは、データパケット復号結果に基づいて設定点(閉ループ電力制御におけるSINRしきい値)を調整することによって、あるデータチャネルのパケット誤り率を維持する。パケットが首尾よく復号された場合、設定点は「ダウンステップ」だけ減少させられ、他の場合、設定点は「アップステップ」だけ増加する。「アップステップ」と「ダウンステップ」との間の比は、以下の所望のパケット誤り率 (PER)によって決定される。
【００３７】
PER<<1、「アップステップ」>>「ダウンステップ」であるので、「アップステップ」/「ダウンステップ」=(1-PER)/PERであり、設定点は以下の要因に依存し得る。
−  マルチパス遅延プロファイル
−  (キャリア周波数に関係する)フェージング速度
−  干渉の変動
−  データレート:トラフィックチャネル電力とパイロット電力(T2P)との間の比が慎重に最適化されなければ、データレートが高くなると、より高い設定点が必要になる傾向がある。複数のキャリアでは、後者3つの要因は、異なるキャリアでは異なることがある。
【００３８】
アップリンク上の複数のキャリアでは、以下のために、ノードBスケジューラのフレキシビリティを最大にするために、キャリアごとに別々の設定点がなければならない。
【００３９】
フェージング速度(ドップラー周波数)、干渉変動およびデータレートが、キャリアにわたって異なり得る。
【００４０】
たとえば、一方のキャリアは、低い設定点が望ましいVoIPデータを搬送し、他方のキャリアは、より高い設定点を必要とする高レートデータを搬送し得る。
【００４１】
さらに、RNCは、ジョイントアルゴリズムにおいてすべての設定点を判断することができ、各キャリア上の設定点は、すべてのキャリア(またはキャリアサブセット)上の送信結果に依存する。
【００４２】
典型的には、キャリアごとに設定点430が存在する。複数の設定点は、RNCによって判断され、Iubインターフェースを介してノードBに伝達される。1つのアルゴリズムはキャリアごとに別々のアルゴリズムであり、すなわち、各キャリア上の設定点は、各キャリア自体のデータ性能によって判断される。RNCはまた、各キャリア上の設定点をキャリア上の送信結果に依存させることができる。たとえば、2つのキャリアのデータレートが近く、複数のキャリアの周波数が近い場合、RNCは、異なるキャリア上の設定点を同じにすることができる。設定点は、すべてのキャリアにわたって全体的なデータパケット誤り率を調べることによって判断され得る。キャリアのデータレートが遠く離れている場合、異なる設定点をとる十分な根拠があり得る。この場合、各キャリア上の設定点は、各キャリア自体のデータ性能によって判断され得る。
【００４３】
次に図５を参照すると、例示的なループ制御方法が示されている。説明を簡単にするために、本方法(および本明細書で説明する他の方法)を一連の動作として図示し説明するが、いくつかの動作は、1つまたは複数の態様によれば、本明細書で図示し説明する順序とは異なる順序で、および/または他の動作と同時に行われ得るので、本方法は動作の順序によって限定されないことを理解および諒解されたい。たとえば、方法は、状態図など、一連の相互に関係する状態または事象として代替的に表現され得ることを当業者は理解し、諒解するであろう。さらに、請求項に係る発明による方法を実装するために、図示のすべての動作が利用されるわけではない。典型的には、本方法は、本明細書で説明する別個のマルチキャリア電力制御をサポートする、プロセッサ命令、論理プログラミング機能、または他の電子シーケンスとして実装され得る。
【００４４】
図５のプロセス500を参照すると、初期開ループ設定を行い、所望のレベルに調整する。そのような制御は、典型的には、たとえば、物理ランダムアクセスチャネル(PRACH)および専用物理制御チャネル(DPCCH)の電力設定のためなど、初期電力設定に適用される。520において、エラーデータレートを読み取る。これは、マルチキャリアシステムにおいてキャリアごとに処理される信号対雑音データを含み得る。530において、様々な設定点を分析する。そのような設定点は、たとえば、アウターループ制御の一部として無線ネットワークコントローラによって与えられ得る。540において、キャリア電力を調整すべきか否かに関する判断を行う。540において調整が必要とされない場合、プロセスは530に戻ってデータチャネル性能を監視する。540において調整が必要とされる場合、プロセスは550に進み、それぞれのキャリアチャネル当たり1つまたは複数のパワーアップコマンドあるいは1つまたは複数のパワーダウンコマンドを生成する。前述のように、そのようなコマンドはインナーまたは閉ループ電力制御の一部として生成され得る。これらは、ノードBまたは送信局からユーザ装置(UE)へのビットフィードバックを含むことができ、受信された雑音信号を設定点と比較して、550においてパワーアップコマンドまたはパワーダウンコマンドがそれぞれのUEに送信されることを可能にし、1つのキャリアについてまたはキャリアのセットにわたってパワーを動的に調整(アップまたはダウン)することができる。インナーまたは閉ループ制御と連携して動作して、複数の高速キャリアにわたって電力をさらに制御するためにアウターループ制御が与えられ得る。アウターループ電力制御は、概して、無線ネットワークコントローラ(RNC)によってネットワークインターフェースを介してノードBに伝達される。キャリアごとに別々のアルゴリズムを与えることができ、RNCによって生成される電力設定点は、それぞれのキャリア上のデータ性能によってキャリアごとに判断される。
【００４５】
次に図６および図７を参照すると、無線信号処理に関係するシステムが与えられている。本システムは、プロセッサ、ソフトウェア、ハードウェア、ファームウェア、または任意の好適なそれらの組合せによって実装される機能を表すことができる一連の相互に関係する機能ブロックとして表される。
【００４６】
図６を参照すると、無線通信システム600が与えられている。システム600は、高速パケットアクセス信号のセットからの2つ以上のキャリアを別個に制御する論理モジュール602または手段を含む。これは、高速パケットアクセス信号のセットについての電力レベルを監視する論理モジュール604または手段を含む。これは、パケットアクセス信号のセットについての電力レベルを考慮して、開ループ制御、インナーループ制御、またはアウターループ制御のうちの少なくとも1つを制御する論理モジュール606または手段を含む。
【００４７】
図７を参照すると、無線通信システム700が与えられている。システム700は、高速パケットアクセス信号のセットからの2つ以上のキャリアを別個に制御する論理モジュール702または手段を含む。これは、高速パケットアクセス信号のセットの電力レベルを監視する論理モジュール704または手段を含む。これはまた、パケットアクセス信号のセットの電力レベルを考慮して、開ループ制御コマンド、インナーループ制御コマンド、またはアウターループ制御コマンドのうちの少なくとも1つを処理する論理モジュール706または手段を含む。
【００４８】
図８に、たとえば、無線端末などの無線通信装置とすることができる通信装置800を示す。追加または代替として、通信装置800は有線ネットワーク内に備えることができる。通信装置800は、無線通信端末中で信号分析を実行するための命令を保持することができるメモリ802を含むことができる。さらに、通信装置800は、メモリ802内の命令および/または別のネットワークデバイスから受信した命令を実行することができるプロセッサ804を含むことができ、命令は、通信装置800または関連する通信装置を構成することまたは動作させることに関係し得る。
【００４９】
図９を参照すると、多元接続無線通信システム900が示されている。多元接続無線通信システム900は、セル902、904、および906を含む複数のセルを含む。システム900の態様では、セル902、904、および906は、複数のセクタを含むノードBを含み得る。複数のセクタはアンテナのグループによって形成され得、各アンテナは、セルの一部分におけるUEとの通信を担当する。たとえば、セル902において、アンテナグループ912、914、および916は各々異なるセクタに対応することができる。セル904において、アンテナグループ918、920、および922は各々異なるセクタに対応する。セル906において、アンテナグループ924、926、および928は各々異なるセクタに対応する。セル902、904および906は、各セル902、904または906の1つまたは複数のセクタと通信することができる、いくつかの無線通信デバイス、たとえば、ユーザ装置またはUEを含み得る。たとえば、UE930および932はノードB942と通信することができ、UE934および936はノードB944と通信することができ、UE938および940はノードB946と通信することができる。
【００５０】
次に図１０を参照すると、一態様による多元接続無線通信システムが示されている。アクセスポイント1000(AP)は複数のアンテナグループを含み、１つのアンテナグループは1004および1006を含み、もう１つのアンテナグループは1008および1010を含み、さらなるアンテナグループは1012および1014を含む。図１０では、アンテナグループごとに2つのアンテナのみが示されているが、アンテナグループごとにより多いまたはより少ないアンテナを利用することができる。アクセス端末1016(AT)はアンテナ1012および1014と通信中であり、アンテナ1012および1014は、順方向リンク1020上でアクセス端末1016に情報を送信し、逆方向リンク1018上でアクセス端末1016から情報を受信する。アクセス端末1022はアンテナ1006および1008と通信中であり、アンテナ1006および1008は、順方向リンク1026上でアクセス端末1022に情報を送信し、逆方向リンク1024上でアクセス端末1022から情報を受信する。FDDシステムでは、通信リンク1018、1020、1024および1026は、通信のための異なる周波数を使用することができる。たとえば、順方向リンク1020は、逆方向リンク1018によって使用される周波数とは異なる周波数を使用することができる。
【００５１】
アンテナの各グループ、および/または、アンテナが通信するように設計されたエリアは、しばしば、アクセスポイントのセクタと呼ばれる。アンテナグループはそれぞれ、アクセスポイント1000によってカバーされるエリアのセクタ内でアクセス端末と通信するように設計される。順方向リンク1020および1026上の通信では、アクセスポイント1000の送信アンテナは、異なるアクセス端末1016および1022に対して順方向リンクの信号対雑音比を改善するためにビームフォーミングを利用する。また、そのカバレージにわたってランダムに散在するアクセス端末に送信するためにビームフォーミングを使用するアクセスポイントは、単一のアンテナを介してすべてのそのアクセス端末に送信するアクセスポイントよりも、近隣セル内のアクセス端末に生じる干渉が少ない。アクセスポイントは、端末との通信に使用される固定局でもよく、アクセスポイント、ノードB、または何らかの他の用語で呼ばれることもある。アクセス端末は、アクセス端末、ユーザ装置(UE)、無線通信デバイス、端末、アクセス端末または何らかの他の用語で呼ばれることもある。
【００５２】
図１１を参照すると、システム1100には、MIMOシステム1100における(アクセスポイントとしても知られる)送信機システム1110および(アクセス端末としても知られる)受信機システム1150が示されている。送信機システム1110において、いくつかのデータストリームのトラフィックデータがデータソース1112から送信(TX)データプロセッサ1114に供給される。各データストリームは、それぞれの送信アンテナを介して送信される。TXデータプロセッサ1114は、各データストリーム用に選択された特定の符号化方式に基づいて、そのデータストリームのトラフィックデータをフォーマットし、符号化し、インターリーブして、符号化データを供給する。
【００５３】
各データストリームの符号化データは、OFDM技法を使用してパイロットデータとともに多重化され得る。パイロットデータは、典型的には、知られている方法で処理され、チャネル応答を推定するために受信機システムにおいて使用され得る、既知のデータパターンである。次いで、各データストリームの多重化されたパイロットデータおよび符号化データは、変調シンボルを供給するために、そのデータストリーム用に選択された特定の変調方式(たとえば、BPSK、QSPK、M-PSK、またはM-QAM)に基づいて変調(すなわち、シンボルマッピング)される。各データストリームのデータレート、符号化、および変調は、プロセッサ1130によって実行される命令によって決定され得る。
【００５４】
次いで、すべてのデータストリームの変調シンボルがTX MIMOプロセッサ1120に供給され、TX MIMOプロセッサ1120はさらに(たとえば、OFDM用に)その変調シンボルを処理することができる。次いで、TX MIMOプロセッサ1120はNT個の変調シンボルストリームをNT個の送信機(TMTR)1122a〜1122tに供給する。いくつかの実施形態では、TX MIMOプロセッサ1120は、データストリームのシンボルと、シンボルが送信されているアンテナとにビームフォーミングの重み付けを適用する。
【００５５】
各送信機1122は、それぞれのシンボルストリームを受信し、処理して、1つまたは複数のアナログ信号を供給し、さらに、それらのアナログ信号を調整(たとえば、増幅、フィルタ処理、およびアップコンバート)して、MIMOチャネルを介して送信するのに適した変調信号を供給する。次いで、送信機1122a〜1122tからのNT個の変調信号は、それぞれNT個のアンテナ1124a〜1124tから送信される。
【００５６】
受信機システム1150では、送信された変調信号はNR個のアンテナ1152a〜1152rによって受信され、各アンテナ1152からの受信信号は、それぞれの受信機(RCVR)1154a〜1154rに供給される。各受信機1154は、それぞれの受信信号を調整(たとえば、フィルタ処理、増幅、およびダウンコンバート)し、調整された信号をデジタル化して、サンプルを供給し、さらにそれらのサンプルを処理して、対応する「受信」シンボルストリームを供給する。
【００５７】
次いで、RXデータプロセッサ1160は、特定の受信機処理技法に基づいてNR個の受信機1154からNR個の受信シンボルストリームを受信し、処理して、NT個の「検出」シンボルストリームを供給する。次いで、RXデータプロセッサ1160は、各検出シンボルストリームを復調し、デインターリーブし、復号して、データストリームに対するトラフィックデータを回復する。RXデータプロセッサ1160による処理は、送信機システム1110におけるTX MIMOプロセッサ1120およびTXデータプロセッサ1114によって実行される処理と相補的である。
【００５８】
プロセッサ1170は、どのプリコーディング行列を使用すべきかを周期的に判断する(後述)。プロセッサ1170は、行列インデックス部とランク値部とを含む逆方向リンクメッセージを作成する。逆方向リンクメッセージは、通信リンクおよび/または受信データストリームに関する様々なタイプの情報を含むことができる。次いで、逆方向リンクメッセージは、データソース1136からいくつかのデータストリームのトラフィックデータをも受信するTXデータプロセッサ1138によって処理され、変調器1180によって変調され、送信機1154a〜1154rによって調整され、送信機システム1110に戻される。パラメータは、リソース割り当てパラメータ、干渉状態パラメータ、信号強度パラメータ、信号品質パラメータ、品質を含む。
【００５９】
送信機システム1110において、受信機システム1150からの変調信号は、アンテナ1124によって受信され、受信機1122によって調整され、復調器1140によって復調され、RXデータプロセッサ1142によって処理されて、受信機システム1150によって送信された逆方向リンクメッセージを抽出する。次いで、プロセッサ1130は、ビームフォーミングの重み付けを決定するためにどのプリコーディング行列を使用すべきかを判断し、次いで、抽出されたメッセージを処理する。
【００６０】
一態様では、無線通信のための方法を提供する。本方法は、パケットアクセス信号のセットからの2つ以上のキャリアについて別個の電力制御を与えるステップと、2つ以上のキャリアにわたって電力を監視してパケットアクセス信号のセットについての電力レベルを判断するステップと、パケットアクセス信号のセットについての電力レベルを考慮して、開ループ制御、インナーループ制御、またはアウターループ制御のうちの少なくとも1つを調整するステップとを含む。これは、開ループ制御を介して物理ランダムアクセスチャネル(PRACH)および専用物理制御チャネル(DPCCH)の電力設定を調整するステップを含む。本方法は、初期電力がDPCCHに依存することができるように、アンカーよりも後にセカンダリアップリンクキャリアを開始するステップを含む。これは、共通パイロットチャネル(CPICH)、アップリンク干渉パラメータ、または定数値に基づく初期PRACHを設定するステップ、あるいは瞬時電力値、アンカーキャリア値、またはマージン値に基づいて初期DPCCH値を設定するステップを含む。マージン値は、キャリア間の不平衡、初期データ性能から選択されるか、または電力と復号誤り率とのトレードオフとして選択される。
【００６１】
本方法は、インナーループ制御の一部としてパワーアップビットまたはパワーダウンビットを生成するステップ、あるいは少なくとも2つのキャリア間で最大送信電力を共有するステップを含む。これは、少なくとも2つのキャリア間でパワーアップコマンドまたはパワー制御ダウンコマンドを交互に配置するステップ、あるいは複数のキャリアにわたって同様の割合で電力を増加するステップを含む。本方法は、アンカーキャリア上でできる限り電力を増加するステップと、最大送信電力が達成されるまでセカンダリキャリア上で電力を増加するステップとを含む。これは、より低いDPCCH電力を有するキャリア上で電力を増加するステップと、最大電力が達成されるまで少なくとも1つの他のキャリア上で電力を増加するステップとを含む。本方法は、セカンダリキャリアまたはプライマリキャリア上で等しいかまたは等しくないパケットサイズを送信するステップ、あるいはアウターループ制御を介して1つまたは複数の設定点を生成するステップを含む。設定点は無線ネットワークコントローラ(RNC)によって生成される。本方法は、信号対雑音しきい値を監視することによって設定点を生成するステップを含み、設定点は、マルチパス遅延プロファイルセット、フェージング速度、干渉の変動、またはデータレートに関連付けられる。
【００６２】
別の態様では、通信装置を提供する。これは、パケットアクセス信号のセットからの2つ以上のキャリアについて別個の電力制御を与え、2つ以上のキャリアにわたって電力を判断してパケットアクセス信号のセットについての電力レベルを判断し、パケットアクセス信号のセットについての電力レベルを考慮して、開ループ制御、インナーループ制御、またはアウターループ制御のうちの少なくとも1つを監視するための命令を保持するメモリと、その命令を実行するプロセッサとを含む。これは、開ループ制御を介して物理ランダムアクセスチャネル(PRACH)および専用物理制御チャネル(DPCCH)の電力設定を調整するための命令を含む。本装置は、1つまたは複数の制御設定点を生成するための無線ネットワークコントローラと、1つまたは複数のパワーアップコマンドまたはパワーダウンコマンドを生成するためのプロセッサとを含み得る。
【００６３】
別の態様では、コンピュータプログラム製品を提供する。これは、電力を制御するためのコードを含むコンピュータ読み取り可能な媒体であって、コードが、パケットアクセス信号のセットからの2つ以上のキャリアの電力を制御することをコンピュータに行わせるためのコードと、2つ以上のキャリアにわたって電力を監視してパケットアクセス信号のセットについての電力レベルを判断することをコンピュータに行わせるためのコードと、パケットアクセス信号のセットについての電力レベルを考慮して、開ループ制御、インナーループ制御、またはアウターループ制御のうちの少なくとも1つを自動的に調整することをコンピュータに行わせるためのコードとを含む、コンピュータ読み取り可能な媒体を含む。これはまた、キャリアのグループの電力を順次にまたは並行して調整することをコンピュータに行わせるためのコードを含む。
【００６４】
別の態様では、無線通信のための方法を提供する。これは、パケットアクセス信号のセットからの2つ以上のキャリアについて別個の電力制御を与えるステップと、2つ以上のキャリアにわたって電力を監視してパケットアクセス信号のセットについての電力レベルを判断するステップと、パケットアクセス信号のセットについての電力レベルを考慮して、開ループ制御コマンド、インナーループ制御コマンド、またはアウターループ制御コマンドのうちの少なくとも1つを受信するステップとを含む。
【００６５】
一態様では、論理チャネルは、制御チャネルとトラフィックチャネルとに分類される。論理制御チャネルは、システム制御情報をブロードキャストするためのDLチャネルであるブロードキャスト制御チャネル(BCCH)を含む。ページング制御チャネル(PCCH)は、ページング情報を転送するDLチャネルである。マルチキャスト制御チャネル(MCCH)は、1つまたは複数のマルチキャストトラフィックチャネル(MTCH)についてのマルチメディアブロードキャストおよびマルチキャストサービス(MBMS)のスケジューリングおよび制御情報を送信するために使用されるポイントツーマルチポイントDLチャネルである。概して、RRC接続を確立した後、このチャネルは、MBMS(注:旧式のMCCH+MSCH)を受信するUEによって使用されるだけである。専用制御チャネル(DCCH)は、専用制御情報を送信するポイントツーポイント双方向チャネルであり、RRC接続を有するUEによって使用される。論理トラフィックチャネルは、ユーザ情報を転送するための1つのUEに専用のポイントツーポイント双方向チャネルである専用トラフィックチャネル(DTCH)を含む。論理トラフィックチャネルはまた、トラフィックデータを送信するためのポイントツーマルチポイントDLチャネルであるMTCHを含む。
【００６６】
トランスポートチャネルは、DLとULとに分類される。DLトランスポートチャネルは、ブロードキャストチャネル(BCH)と、ダウンリンク共有データチャネル(DL-SDCH)と、UE節電をサポートするためのページングチャネル(PCH)(DRXサイクルがネットワークによってUEに示される)とを含み、これらのチャネルは、セル全体にわたってブロードキャストされ、他の制御/トラフィックチャネル用に使用され得るPHYリソースにマッピングされる。ULトランスポートチャネルは、ランダムアクセスチャネル(RACH)、要求チャネル(REQCH)、アップリンク共有データチャネル(UL-SDCH)、および複数のPHYチャネルを含む。PHYチャネルは、DLチャネルとULチャネルとのセットを含む。
【００６７】
DL PHYチャネルは、たとえば、共通パイロットチャネル(CPICH)、同期チャネル(SCH)、共通制御チャネル(CCCH)、共有DL制御チャネル(SDCCH)、マルチキャスト制御チャネル(MCCH)、共有UL割当てチャネル(SUACH)、肯定応答チャネル(ACKCH)、DL物理共有データチャネル(DL-PSDCH)、UL電力制御チャネル(UPCCH)、ページングインジケータチャネル(PICH)、および負荷インジケータチャネル(LICH)を含む。
【００６８】
UL PHYチャネルは、たとえば、物理ランダムアクセスチャネル(PRACH)、チャネル品質インジケータチャネル(CQICH)、肯定応答チャネル(ACKCH)、アンテナサブセットインジケータチャネル(ASICH)、共有要求チャネル(SREQCH)、UL物理共有データチャネル(UL-PSDCH)、およびブロードバンドパイロットチャネル(BPICH)を含む。
【００６９】
他の用語/構成要素は、3G 3rd Generation、3GPP 3rd Generation Partnership Project、ACLR隣接チャネルリーク比、ACPR隣接チャネル電力比、ACS隣接チャネル選択度、ADS Advanced Design System、AMC適応変調コーディング、A-MPR追加最大パワー低減、ARQ自動再送要求、BCCHブロードキャスト制御チャネル、BTS送受信基地局、CDD巡回遅延ダイバーシチ、CCDF相補累積分布関数、CDMA符号分割多元接続、CFI制御フォーマットインジケータ、Co-MIMO協調MIMO、CPサイクリックプレフィックス、CPICH共通パイロットチャネル、CPRI共通公衆無線インターフェース、CQIチャネル品質インジケータ、CRC巡回冗長検査、DCIダウンリンク制御インジケータ、DFT離散フーリエ変換、DFT-SOFDM離散フーリエ変換拡散OFDM、DLダウンリンク(基地局-加入者送信)、DL-SCHダウンリンク共有チャネル、D-PHY 500Mbps物理レイヤ、DSPデジタル信号処理、DT開発ツールセット、DVSAデジタルベクトル信号分析、EDA電子設計オートメーション、E-DCH拡張専用チャネル、E-UTRAN Evolved UMTS地上波無線アクセスネットワーク、eMBMS Evolvedマルチメディアブロードキャストマルチキャストサービス、eNB EvolvedノードB、EPC Evolvedパケットコア、EPREリソース要素当たりのエネルギー、ETSI European Telecommunications Standards Institute、E-UTRA Evolved UTRA、E-UTRAN Evolved UTRAN、EVMエラーベクトル振幅、およびFDD周波数分割複信を含む。
【００７０】
さらに他の用語は、FFT高速フーリエ変換、FRC固定基準チャネル、FS1フレーム構造タイプ1、FS2フレーム構造タイプ2、GSM Global System for Mobile Communications、HARQ複合自動再送要求、HDLハードウェア記述言語、HI HARQインジケータ、HSDPA高速ダウンリンクパケットアクセス、HSPA高速パケットアクセス、HSUPA高速アップリンクパケットアクセス、IFFT逆FFT、IOT相互運用性試験、IPインターネットプロトコル、LO局部発振器、LTE Long Term Evolution、MAC媒体アクセス制御、MBMSマルチメディアブロードキャストマルチキャストサービス、MBSFN Multicast/broadcast over single-frequency network、MCHマルチキャストチャネル、MIMO多入力多出力、MISO多入力単出力、MMEモビリティ管理エンティティ、MOP最大出力パワー、MPR最大電力低減、MU-MIMOマルチユーザMIMO、NAS非アクセス層、OBSAIオープン基地局アーキテクチャインターフェース、OFDM直交周波数分割多重、OFDMA直交周波数分割多元接続、PAPRピーク対平均電力比、PARピーク対平均値比、PBCH物理ブロードキャストチャネル、P-CCPCH プライマリ共通制御物理チャネル、PCFICH物理制御フォーマットインジケータチャネル、PCHページングチャネル、PDCCH物理ダウンリンク制御チャネル、PDCPパケットデータコンバージェンスプロトコル、PDSCH物理ダウンリンク共有チャネル、PHICH物理複合ARQインジケータチャネル、PHY物理レイヤ、PRACH物理ランダムアクセスチャネル、PMCH物理マルチキャストチャネル、PMIプリコーディング行列インジケータ、P-SCH プライマリ同期信号、PUCCH物理アップリンク制御チャネル、およびPUSCH物理アップリンク共有チャネルを含む。
【００７１】
他の用語は、QAM直交振幅変調、QPSK 4位相シフトキーイング、RACHランダムアクセスチャネル、RAT無線アクセス技術、RBリソースブロック、RF無線周波数、RFDE RF設計環境、RLC無線リンク制御、RMC基準測定チャネル、RNC無線ネットワークコントローラ、RRC無線リソース制御、RRM無線リソース管理、RS基準信号、RSCP受信信号符号パワー、RSRP基準信号受信電力、RSRQ基準信号受信品質、RSSI受信信号強度インジケータ、SAE System Architecture Evolution、SAPサービスアクセスポイント、SC-FDMAシングルキャリア周波数分割多元接続、SFBC空間周波数ブロックコーディング、S-GWサービングゲートウェイ、SIMO単入力多出力、SISO単入力単出力、SNR信号対雑音比、SRSサウンディング基準信号、S-SCH セカンダリ同期信号、SU-MIMOシングルユーザMIMO、TDD時分割複信、TDMA時分割多元接続、TR技術報告、TrCHトランスポートチャネル、TS技術仕様、TTA Telecommunications Technology Association、TTI送信時間間隔、UCIアップリンク制御インジケータ、UEユーザ装置、ULアップリンク(加入者-基地局送信)、UL-SCHアップリンク共有チャネル、UMBウルトラモバイルブロードバンド、UMTSユニバーサル移動通信システム、UTRA汎用地上波無線アクセス、UTRAN汎用地上波無線アクセスネットワーク、VSAベクトル信号分析器、W-CDMA広帯域符号分割多元接続を含む。
【００７２】
本明細書では、様々な態様について、端末に関して説明したことに留意されたい。端末はまた、システム、ユーザデバイス、加入者ユニット、加入者局、移動局、モバイルデバイス、リモート局、リモート端末、アクセス端末、ユーザ端末、ユーザエージェント、またはユーザ装置と呼ばれることがある。ユーザデバイスは、セルラー電話、コードレス電話、セッションイニシエーションプロトコル(SIP)電話、ワイヤレスローカルループ(WLL)局、PDA、無線接続機能を有するハンドヘルドデバイス、端末内のモジュール、ホストデバイス(たとえば、PCMCIAカード)に取り付けることができるかまたはホストデバイス内に組み込むことができるカード、あるいは無線モデムに接続された他の処理デバイスとすることができる。
【００７３】
さらに、標準的なプログラミングおよび/またはエンジニアリング技法を使用して、請求する主題の様々な態様を実装するようにコンピュータまたはコンピューティング構成要素を制御するためのソフトウェア、ファームウェア、ハードウェア、またはそれらの任意の組合せを生成する方法、装置、または製品として特許請求する発明の態様を実装することができる。本明細書で使用する「製品」という用語は、任意のコンピュータ読み取り可能なデバイス、担体、または媒体からアクセス可能なコンピュータプログラムを包含するものとする。たとえば、コンピュータ読み取り可能な媒体は、磁気ストレージデバイス(たとえば、ハードディスク、フロッピー(登録商標)ディスク、磁気ストリップ...)、光ディスク(たとえば、コンパクトディスク(CD)、デジタル多用途ディスク(DVD)...)、スマートカード、およびフラッシュメモリデバイス(たとえば、カード、スティック、キードライブ...)を含むことができるが、これらに限定されない。さらに、ボイスメールを送信および受信する際またはセルラーネットワークなどのネットワークにアクセスする際に使用される搬送波など、搬送波を使用して、コンピュータ読み取り可能な電子データを搬送することができることを諒解されたい。もちろん、本明細書で説明する範囲および思想から逸脱することなく、この構成に対して多数の改変を行うことができることを当業者ならば認識するであろう。
【００７４】
本願で使用する「構成要素」、「モジュール」、「システム」、「プロトコル」などの用語は、ハードウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、および/またはコンピュータとすることができるが、これらに限定されない。例として、サーバ上で実行されるアプリケーションと、そのサーバの両方を構成要素とすることができる。1つまたは複数の構成要素がプロセスおよび/または実行スレッド内に存在することができ、1つの構成要素を1つのコンピュータ上に配置し、および/または2つ以上のコンピュータ間に分散することができる。
【００７５】
以上の説明は、1つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の思想および範囲内に入るすべてのそのような改変形態、変更形態および変形形態を包含するものとする。さらに、「含む」という用語は、発明の詳細な説明または特許請求の範囲のいずれかにおいて使用される限り、請求項において転換語(transitional word)として使用されるとき用語「備える」が解釈されるのと同様に包括的であることを意図する。
【符号の説明】
【００７６】
100  システム
110  無線ネットワーク
110  無線通信ネットワーク
114  ループ電力制御
114  ループ制御
120  基地局
130  デバイス
140  別個の電力およびスケーリング制御
150  パワーアップコマンドまたはパワーダウンコマンド
160  ダウンリンク
170  アップリンク
200  システム
210  無線ネットワーク
220  基地局
220  ノードB
230  デバイス
230  UE
240  別個の電力およびスケーリング制御
250  パワーアップコマンドまたはパワーダウンコマンド
260  ダウンリンク
270  アップリンク
280  開ループ制御
280  開ループ電力制御
284  インナーループまたは閉ループ制御
284  インナーループ電力制御
284  閉ループ制御
290  無線ネットワークコントローラ(RNC)
294  インターフェース
296  アウターループ制御
300  開ループコントローラ
310  物理ランダムアクセスチャネル(PRACH)
320  専用物理制御チャネルDPCCH
330  シングルキャリア演算
340  マルチキャリアの検討
400  アウターループコントローラ
410  プロセッサ
420  データ誤り率
430  設定点
430  キャリア電力設定点
【図１】
0005306536.tif 000002
【図２】
0005306536.tif 000003
【図３】
0005306536.tif 000004
【図４】
0005306536.tif 000005
【図５】
0005306536.tif 000006
【図６】
0005306536.tif 000007
【図７】
0005306536.tif 000008
【図８】
0005306536.tif 000009
【図９】
0005306536.tif 000010
【図１０】
0005306536.tif 000011
【図１１】
0005306536.tif 000012